(57)【要約】【課題】  金型成型する必要がなく、ケーブルへのストレスを軽減することができ、しかもケーブルの動きを抑制することが可能なケーブル保持装置の提供。【解決手段】  形状が安易に変形でき、かつ部材の表面接触抵抗が比較的大きいゴムやシリコン等の板状部材で構成された保持部材１を折り曲げて光ケーブル２を保持する。その保持部材１はケーブル取付部材３の収納部４に収納され、収納部４に設けた蓋体５を閉じ、ロック部材５ａとロック部材４ｂを用いて蓋体５が開かないように固定する。【選択図】      図５
2006311664.tif 000002
【特許請求の範囲】
【請求項１】
ケーブルを保持するケーブル保持装置であって、
折り曲げ可能でかつ表面接触抵抗を利用して前記ケーブルを保持する保持部材を含むことを特徴とするケーブル保持装置。
【請求項２】
前記保持部材上に前記ケーブルを載置し、前記保持部材を折り曲げて前記ケーブルと密着させることを特徴とする請求項１記載のケーブル保持装置。
【請求項３】
さらに前記ケーブルを取り付けるケーブル取付部材を含み、前記ケーブル取付部材は前記ケーブルを保持した状態の前記保持部材を収納する
収納部を含むことを特徴とする請求項１または２記載のケーブル保持装置。
【請求項４】
前記収納部は開閉自在な蓋体を含むことを特徴とする請求項３記載のケーブル保持装置。
【請求項５】
前記蓋体の端部と、前記収納部の側面上部とに一対のロック部材が設けられ、前記ロック部材で前記蓋体が開かないように固定されることを特徴とする請求項４記載のケーブル保持装置。
【請求項６】
光余長構造の出入り口で、ケーブルを保持する部分に用いられることを特徴とする請求項１から５いずれかに記載のケーブル保持装置。
【請求項７】
防水タイプ装置のケーブル引出し口部分に用いられることを特徴とする請求項１から５いずれかに記載のケーブル保持装置。
【発明の詳細な説明】
【技術分野】
【０００１】
本発明は、ケーブル保持装置に関し、特に光ケーブル等のケーブル保持装置に関する。
【背景技術】
【０００２】
図６は従来のケーブル保持装置の一例の構成を示す斜視図である。同図を参照すると従来のケーブル保持装置の一例は、ケーブル取付部材５１と、ケーブルクランプ５２と、ケーブル取付部材５１に設けたケーブルクランプ保持部５３と、開閉自在な蓋体５４とにより構成されている。
【０００３】
ケーブルクランプ５２には貫通口５２ａと、押え具５２ｂとが設けられ、ケーブル、一例として光ケーブル５５が貫通口５２ａに挿入され、その後押え具５２ｂで光ケーブル５５を押圧することにより、光ケーブル５５をケーブルクランプ５２に固定していた。
【０００４】
このケーブルクランプ５２は硬質のモールドで形成され、金型成型されていた。この光ケーブル５５を固定したケーブルクランプ５２はケーブル取付部材５１に設けられたケーブルクランプ保持部５３に取り付けられ、蓋体５４を閉じることにより光ケーブル５５をケーブル取付部材５１へ取り付けていた。
【０００５】
一方、この種の従来技術の他の例として、クランプ２でケーブル４を支持するクランプ装置が開示されている。またこのクランプ２は柔軟な樹脂で構成されると記載されている（たとえば、特許文献１参照）。
【０００６】
また他の一例として、クランプが湾曲壁部２２と保護部材２とから構成され、クランプの内側に保護部材２が接合され、保護部材２の凹部１７にケーブルを取り付けるケーブルクランプが開示されている。また保護部材２は可撓性の材料で構成されると記載されている（たとえば、特許文献２参照）。
【０００７】
また他の一例として、蝶番式の筐体部６１，６２でケーブルＣを挟み、係合用突起部ｔ１、ｔ２を係合させてケーブルＣを保持する保持部材６０が開示されている。また保持部材６０はゴムで生成が可能と記載されている（たとえば、特許文献３参照）。
【０００８】
【特許文献１】特開平２−２９７５０３号公報（第２頁左側欄第９行〜右側欄第９行、図１および図２）
【特許文献２】特開２００４−２４２４７８号公報（段落００２６、図９）
【特許文献３】特開２００２−２８１６２８号公報（段落００５５，００６０、図１０）
【発明の開示】
【発明が解決しようとする課題】
【０００９】
しかし、図６に示す従来のケーブル保持装置は、ケーブルクランプ５２が金型成型品であるため、金型製作に高価な費用を要するという欠点があった。また、押え具５２ｂで光ケーブル５５を押圧するため、光ケーブル５５にストレスがかかるという欠点もあった。
【００１０】
一方、特許文献１記載の発明はケーブルルートを確保することを目的としており、ケーブル保持を目的とするものではない。したがって、ケーブルを押したり引いたりすると、ケーブルはその動きに合わせて動いてしまうが、本発明ではケーブル保持部材の表面接触抵抗が効いてケーブルが動くことはない。
【００１１】
また特許文献２記載の発明は、保護部材２が湾曲壁部２２に嵌め込まれる構成であるため、保護部材２の大きさが湾曲壁部２２によって制限され、したがってケーブルの太さも制限されるという欠点がある。
【００１２】
また特許文献３記載の発明は、特許文献１記載の発明と同様に筐体部６１，６２でケーブルＣを保持できれば十分であるため、ケーブルを押したり引いたりすると、ケーブルはその動きに合わせて動いてしまうという欠点がある。
【００１３】
そこで本発明の目的は、金型成型する必要がなく、ケーブルへのストレスを軽減することができ、しかもケーブルの動きを抑制することが可能なケーブル保持装置を提供することにある。
【課題を解決するための手段】
【００１４】
前記課題を解決するために本発明によるケーブル保持装置は、ケーブルを保持するケーブル保持装置であって、折り曲げ可能でかつ表面接触抵抗を利用して前記ケーブルを保持する保持部材を含むことを特徴とする。
【００１５】
本発明によれば、保持部材を折り曲げてケーブルを保持するとともに、保持部材の表面接触抵抗を利用してケーブルの動きを抑制する。
【発明の効果】
【００１６】
本発明によれば、上記構成を含むことにより、金型成型する必要がなく、ケーブルへのストレスを軽減することができ、しかもケーブルの動きを抑制することが可能となる。
【００１７】
具体的に説明すると、ケーブルを保持部材で挟み込むことによって、保持部材がケーブルに密着し、保持部材の表面接触抵抗によりケーブルの動きを抑制する。これによりケーブルが保持される。
【００１８】
また、従来のケーブルクランプのようにケーブルにストレスを与えて保持する構造ではなく、密着による材料の表面抵抗でケーブルを保持する構造であるため、クランプ時にもケーブルを保護することが可能となる。
【発明を実施するための最良の形態】
【００１９】
以下、本発明の実施例について添付図面を参照しながら説明する。図１〜図３は本発明に係るケーブル保持装置に用いられる保持部材の一例の斜視図である。
【００２０】
図１を参照すると、保持部材１は形状が安易に変形でき、かつ部材の表面接触抵抗が比較的大きい、一例としてゴムやシリコン等の板状部材を使用して構成されている。同図はケーブル、一例として光ケーブル２をこの保持部材１上に載置した場合を示している。
【００２１】
図２は光ケーブル２を載置した保持部材１を折り曲げた状態を示している。図３はケーブル２と保持部材１とが密着するようにさらに保持部材１を折り曲げた状態を示している。
【００２２】
図４および図５は本発明のケーブル取付部材３と保持部材１との関係を示す斜視図である。図４を参照すると、ケーブル取付部材３には保持部材１を収納する収納部４と、開閉自在な蓋体５とが含まれている。また、蓋体５の端部にロック部材５ａが設けられ、収納部４の側面４ａの上部にロック部材５ａに対応するロック部材４ｂが設けられる。そして、収納部４に、ケーブル２を通して折り曲げた状態の保持部材１が収納される。
【００２３】
図５を参照すると、同図には収納部４にケーブル２を通した保持部材１が収納された状態を示している。この状態で蓋体５を閉じ、ロック部材５ａとロック部材４ｂを用いて蓋体５が開かないように固定する。
【００２４】
保持部材１は比較的広い板状部材で構成されるため、ケーブル２を曲げた状態で保持部材１に保持させることが可能となる。
【００２５】
さらに、保持部材１は従来のように湾曲壁部２２に嵌め込まれる構成（特許文献２参照）ではなく、単体で構成されるため、大きさに関して従来例（特許文献２参照）よりも自由度を高くすることができる。したがって、細いケーブルから太いケーブルまで従来よりも広範囲なケーブルに対して適用が可能となる。また、このような枠（湾曲壁部２２）を使用していないため、折り曲げた状態の保持部材１の厚さを薄くすることが可能となる。
【００２６】
本発明では、ケーブル２と保持部材１とが密着した状態になっているが、従来のように押え具５２ｂで光ケーブル５５を押圧するような処理（図６参照）は施していない。本発明では、そのような処理を施さなくても、保持部材１が表面接触抵抗が比較的大きい部材で構成されているため、ケーブル２を引っ張るとケーブル２と保持部材１との接触抵抗が発生しケーブルの動きを抑制するという効果を奏する。また、光ケーブル５５を押圧しないため光ケーブル５５へのストレスを軽減することができるという効果も奏する。
【産業上の利用可能性】
【００２７】
光余長構造の出入り口で、ケーブルを保持する部分に本発明の適用が可能である。また、防水タイプ装置のケーブル引出し口部分に本発明の適用が可能である。
【図面の簡単な説明】
【００２８】
【図１】本発明に係るケーブル保持装置に用いられる保持部材の一例の斜視図である。
【図２】本発明に係るケーブル保持装置に用いられる保持部材の一例の斜視図である。
【図３】本発明に係るケーブル保持装置に用いられる保持部材の一例の斜視図である。
【図４】本発明のケーブル取付部材３と保持部材１との関係を示す斜視図である。
【図５】本発明のケーブル取付部材３と保持部材１との関係を示す斜視図である。
【図６】従来のケーブル保持装置の一例の構成を示す斜視図である。
【符号の説明】
【００２９】
１  保持部材
３  ケーブル取付部材
４  収納部
４ａ  側面
４ｂ  ロック部材
５  蓋体
５ａ  ロック部材
【図１】
2006311664.tif 000003
【図２】
2006311664.tif 000004
【図３】
2006311664.tif 000005
【図４】
2006311664.tif 000006
【図５】
2006311664.tif 000007
【図６】
2006311664.tif 000008